(57)【要約】【課題】仮設足場に朝顔装置を設置する際の安全性と作業性の向上を図ることができる朝顔装置ユニットを提供する。【解決手段】主材上部横桟５と主材下部横桟６と複数本の主材縦桟７から形成される枠及びこの枠内に配設されるパネル材２からなる朝顔装置ユニット及び主材縦桟取付装置１１からなる朝顔装置であって、複数個の朝顔装置ユニットが仮設足場の支柱又は建地材の間に設置される際に、主材縦桟取付装置１１は、一つの朝顔装置ユニットの主材縦桟７の少なくとも１本と、この朝顔装置ユニットに隣接する別の朝顔装置ユニットの主材縦桟７の少なくとも１本とを、それぞれの主材縦桟７がその基部を中心として別個に垂直方向に回転可能な状態で別個に１本の支柱又は建地材に取り付けることが可能なものであることを特徴とする朝顔装置。【選択図】図８
2008031667.tif 000002
【特許請求の範囲】
【請求項１】
主材上部横桟と主材下部横桟と複数本の主材縦桟から形成される枠及びこの枠内に配設されるパネル材からなる朝顔装置ユニット及び主材縦桟取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであることを特徴とする朝顔装置。
【請求項２】
主材上部横桟と主材下部横桟と複数本の主材縦桟から形成される枠及びこの枠内に配設されるパネル材並びにこの枠を下方から支持する複数本の控え材からなる朝顔装置ユニット並びに主材縦桟取付装置及び控え材取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであるとともに、控え材取付装置は、一つの朝顔装置ユニットの控え材の少なくとも１本と、この朝顔装置ユニットに隣接する別の朝顔装置ユニットの控え材の少なくとも１本とを、それぞれの控え材がその基部を中心として別個に垂直方向に回転可能な状態で別個に１本の支柱又は建地材に取り付けることが可能なものであることを特徴とする朝顔装置。
【請求項３】
主材縦桟の基部と控え材の基部がスペーサーで接続されていることを特徴とする、請求項２に記載の朝顔装置。
【請求項４】
主材上部横桟と主材下部横桟と複数本の主材縦桟から形成される枠及びこの枠内に配設されるパネル材並びにこの枠を上方から支持する複数本の吊り材からなる朝顔装置ユニット並びに主材縦桟取付装置及び吊り材取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであるとともに、吊り材取付装置は、一つの朝顔装置ユニットの吊り材の少なくとも１本と、この朝顔装置ユニットに隣接する別の朝顔装置ユニットの吊り材の少なくとも１本とを、それぞれの吊り材がその基部を中心として別個に垂直方向に回転可能な状態で別個に１本の支柱又は建地材に取り付けることが可能なものであることを特徴とする朝顔装置。
【請求項５】
主材縦桟の基部と吊り材の基部がスペーサーで接続されていることを特徴とする、請求項４に記載の朝顔装置。
【発明の詳細な説明】
【技術分野】
【０００１】
本発明は、建設現場等で仮設足場に設置される朝顔装置ユニットに関するものである。
【背景技術】
【０００２】
建設現場等では仮設足場が組まれるが、仮設足場その組立及び解体作業中並びに仮設足場での作業中にその仮設足場から誤って小物および建築資材等が落下しても、地面付近までそれらを落下させずある一定の高さでその落下物を受け止め、仮設足場の足元付近の安全を守る仮設機材として「朝顔装置」が設置される。
【０００３】
特に高層建築や市街地（人通りが多い場所）等での建設現場では、「朝顔装置」の設置が必要である。国土交通省通達の「建築工事等の工事現場における落下物による危害を防止するための措置に関する指導基準」には、高さ１０m以上の仮設足場での「朝顔」の設置が記載されている。
【０００４】
図１は、仮設足場に設けられた朝顔装置の一例であり、(a)は左側面図、(b)は正面図である。
【０００５】
この朝顔装置１は、パネル材２を枠内に配設したパネル枠３を下方から支持する控え材４からなり、建物１５の側面に構築された仮設足場２０の建地材２１の間に複数個設置されている。仮設足場の途中の階層にこのような「庇」を形成することによって、落下物２５があってもこの「庇」によって落下物を受け止めて、仮設足場の足元での作業者２６の安全が守られる。
【０００６】
図２は、朝顔装置の構成の一例であり、(a)は左側面図、(b)〜(d)は正面図（組立作業図）、(e)はパネル材正面図、そして、(f)は朝顔装置の主材上部横桟を仮設足場の建地材に取り付けるための取付金具を示す。
【０００７】
この朝顔装置は、１本の主材上部横桟５と１本の主材下部横桟６と２本の主材縦桟７から１個のパネル枠を形成し、そのパネル枠にフレ止め８を斜めに設置した後、パネル枠内に複数枚の長方形に分割された波形のパネル材２を順に配設することで、パネル枠とパネル材を一体化している。波形のパネル材２は、落下物を受け止める部分であり、持ち運び等を考慮して、複数枚の長方形に分割されているが、この枠内に順次、縁部分を重ね合わせながら配設することによって、枠内に一面のパネル材２が取り付けられたパネル枠を形成する。なお、パネル押え材９は波形のパネル材をパネル枠に固定するためであり、フレ止め８は波形のパネル材２を配設した四角形のパネル枠が平行四辺形に変形しないようにするためである。
【０００８】
そして、このような構成を有する朝顔装置を仮設足場の建地材の間に組み立てて設置するために、その朝顔装置を構成する主材縦桟７の基部は主材縦桟取付金具１１を介して建地材に取り付けられる。なお、図２の(b)〜(d)の正面図（組立作業図）には、朝顔装置の主材縦桟７の２本が１本の建地材に取り付けられることが示されている。これは、隣接する朝顔装置の主材縦桟７の各１本の計２本が仮設足場の建地材の一本に同時に固定して取り付けられているという意味である。
【０００９】
以上は、仮設足場のコーナー部以外に設置される朝顔装置の構造と仮設足場の建地材の間に取り付ける形態の説明である。しかしながら、コーナー部以外では朝顔装置の主材上部横桟と主材下部横桟とは同じ長さであってパネル枠は四角形となるが、コーナー部では朝顔装置の主材上部横桟と主材下部横桟とは長さが異なり、長尺の主材上部横桟と短尺の主材下部横桟が用いられるため、パネル枠は略逆三角形となる。したがって、その枠内に組み込まれるパネル材は、複数枚の逆台形に分割されていて、この枠内に順次、縁部分を重ね合わせながら配設することによって、略逆三角形のパネル枠内の一面に略逆三角形のパネルが取り付けられる。このような略逆三角形のパネル枠の２個は、取付金具を介して、仮設足場のコーナー部に取り付けられる。
【００１０】
図３は、朝顔装置の構成の他の例であり、図２に示された朝顔装置を下方から支持するための控え材を備えたものである。ここで、(a)は左側面図、(b)は正面図、(c)と(d)は控え材の基部の拡大図である。
【００１１】
この朝顔装置のうち、控え材を除く部分は、１本の主材上部横桟５と１本の主材下部横桟６と２本の主材縦桟７から１個のパネル枠３を形成し、そのパネル枠３にフレ止め８を斜めに設置した後、パネル枠内に複数枚の長方形に分割された波形のパネル材１０を順に配設することで、パネル枠とパネル材を一体化しており、図２に示した朝顔装置と同じである。そして、この朝顔装置を仮設足場の建地材の間に取り付けることができるように、その朝顔装置を構成する主材縦桟の基部は取付金具を介して建地材に取り付けられる。
【００１２】
控え材４はこの朝顔装置の１個当たり２本が設けられており、それぞれの控え材４の頂部が、上記朝顔装置の２本の主材縦桟７の頂部近傍にそれぞれ取り付けられ、そして、それぞれの控え材４の基部は、控え材取付金具１２を介して、仮設足場の建地材に取り付けられる。なお、図３の(b)〜(d)には、控え材４の２本が１個の控え材取付金具１２を介して取り付けられていることが示されているが、隣接する朝顔装置の控え材４の各１本の計２本が仮設足場の建地材の一本に同時に固定して取り付けられているという意味である。
【００１３】
なお、ここでは、控え材４は、図３(d)に示されるように、嵌合できる断面を有する２本のスライド材１４を組み合わせることで、長さ方向に互いにスライドして伸縮できる構造となっている。控え材を長さ方向に互いにスライドして伸縮できる構造にすることによって朝顔の設置角度を種々に変更できるようにするためである。
【００１４】
図４(a)は、このような控え材４を有する朝顔装置を控え材取付金具１２を介して仮設足場の建地材に取り付けた一例である。控え材が朝顔装置のパネル枠３の下方に設置されているため、落下物が朝顔装置のパネル枠に当たったときにその落下物の衝撃を控え材４で支えることができる。
【００１５】
図４(b)は、控え材の代わりに、吊り材１０を有する朝顔装置を吊り材取付金具１３を介して仮設足場の建地材に取り付けた一例である。吊り材が朝顔装置のパネル枠の上方に設置されているため、落下物が朝顔装置のパネル枠３に当たったときにその落下物の衝撃を吊り材１０で支えることができる。
【００１６】
なお、このようにパネル枠を支持する手法としては、控え材を用いる手法と吊り材を用いる手法があるが、吊り材を用いてパネル枠を支持する場合には、落下物が吊り材に当たって、朝顔装置を跳び越して地上に落下する恐れがある。したがって、吊り材を用いて支持するよりも、控え材を用いて支持するのが好ましい。ただし、朝顔装置を跳び越して地上に落下する恐れがない場合には、吊り材を用いてパネル枠を支持する手法を採用してもよい。
【００１７】
特許文献１には、控え材を備える朝顔装置に関して、朝顔装置を仮設足場に対して様々な傾斜角で取り付け固定するべく、控え材の基部を控え材取付金具を介して仮設足場の建地材に取り付けることが提案されている。
【００１８】
図５は、特許文献１で提案された、控え材取付部材の一例である。(a)は左側面図であり、(b)は正面図である。
【００１９】
この控え材取付部材は、２本のリップ溝形鋼３０がそれぞれの最下端において共通のエンドストッパー用ボルト３１によって結合され、この最下端において結合された２本のリップ溝形鋼３０を仮設足場の建地材２１の上下の２箇所でクランプを介して仮設足場の建地材に垂直方向に保持されている。そして、２本の控え材４は、いずれも、下端に円筒形状の係合部３３が溶接されており、円筒形状の係合部３３はリップ溝形鋼３０の中に嵌合して上下方向に移動することができるとともに、リップ溝形鋼３０の側面に穿たれた複数個の取り付け穴３４の一つを選択して、１本のボルト４０を水平方向に通し、ナット４１で締め付けることによって、２本の控え材４の下端に設けられた円筒形状の係合部３３が同時にリップ溝形鋼３０の内面に固定され、もって２本の控え材４は同時に仮設足場の１本の建地材２１に取り付けられる。
【００２０】
したがって、図３(d)に示されるように、控え材４を長さ方向に互いにスライドして伸縮できる構造にしなくても、リップ溝形鋼３０の側面に穿たれた複数個の取り付け穴３４を選択することによって、朝顔の設置角度を種々に変更できるのである。
【００２１】
【特許文献１】実用新案登録公報第２５２７０８９号
【発明の開示】
【発明が解決しようとする課題】
【００２２】
従来から、仮設足場の組立および解体作業の基本は手作業（人力）であり、その仮設足場の途中階層に取り付ける朝顔装置についても、その朝顔装置を構成する各部材は１人から３人の人力で扱える重量となっていた。そして、仮設足場の現場で各部材を組み立てて朝顔装置を必要な階層に設置することがなされていた。
【００２３】
しかしながら、近年は控え材を備える朝顔装置については、朝顔装置を構成する部材のうち、主材縦桟と主材縦桟取付金具及び控え材と控え材取付金具をセットにして運搬されるようになっている。しかも、仮設足場に朝顔装置を設置する際には、隣接する朝顔装置の主材縦桟の各１本の計２本が仮設足場の建地材の一本に同時に固定して取り付けることができるように、１個の主材縦桟取付金具には２本の主材縦桟が組み合わされ、そして、１個の控え材取付金具には２本の控え材が組み合わされているため、このセットの重量は約３０ｋｇにもなる。したがって、一人の作業者が運ぶには無理があるため、仮設足場への設置作業および取り外し作業には、手作業（人力）ではロープを使用して朝顔装置を持ち上げ、あるいは、クレーン等の重機を使用する場合はワイヤーを使用して朝顔装置を持ち上げる例が増加している。
【００２４】
図６に、朝顔装置を仮設足場に設置する手順の一例を(a)〜(c)の順に示す。
【００２５】
(a)２本の主材縦桟７とこれら２本の主材縦桟を仮設足場の建地材の一本に同時に固定して取り付けるために１個の主材縦桟取付金具１１、そして、２本の控え材４とこれら２本の控え材を仮設足場の建地材の一本に同時に固定して取り付けるために１個の控え材取付金具１２からなる部材セットの上端にロープ３５を取り付け、このロープにより、設置したい仮設足場の階層まで上記部材セットを持ち上げる。
【００２６】
(b)上記部材セットの上端に取り付けたロープ３５で上記部材セットを仮設足場の建地材に沿って吊り下げた後、２本の主材縦桟の基部に取り付けられた１個の主材縦桟取付金具と、２本の控え材の基部に取り付けられた１個の控え材取付金具を、それぞれ、仮設足場の建地材の上下に固定する。別途用意した上記部材セットを隣接する建地材に対しても取り付ける。
【００２７】
(c)その後、隣接する建地材に各２本取り付けられた主材縦桟のうちの各１本の間に主材上部横桟と主材下部横桟を取り付けてパネル枠を形成し、そのパネル枠にフレ止めを斜めに設置した後、パネル枠内に複数枚の長方形に分割された波形のパネル材を順に配設し、その後、パネル押え材をパネル材の内側に水平に設置することで、パネル枠とパネル材が一体化される。その後、ロープ３５を緩めると、このパネル枠は建地材に取り付けられた主材縦桟取付金具と控え材取付金具を支点として回転させたのち、所定の角度で固定すると、朝顔装置が仮設足場に設置される。
【００２８】
以上のとおり、朝顔装置の設置作業は、図７に示すように、全く安全であるとは言い切れない。
【００２９】
図７は、最大高さ１０ｍの高所の仮設足場での作業であり、しかも仮設足場の手摺枠から身を乗り出しての作業であるから、作業者が手摺の開口部２２から転落したり（左図）、重い部材セットに引っ張られて作業者が部材セットとともに落下したりする危険性や、あるいは、朝顔装置の設置作業の途中にうっかり手を滑らし部材セット自体を仮設足場の足下に落としてしまう（右図）危険性がある。
【００３０】
本発明の目的は、仮設足場に朝顔装置を設置する際の安全性と作業性の向上を図ることができる朝顔装置を提供することにある。
【課題を解決するための手段】
【００３１】
本発明者らは、仮設足場に朝顔装置を設置する際の安全性と作業性の向上を図ることができる朝顔装置に関して、検討を重ねた。その結果、次に示す(a)〜(h)の知見を得た。
【００３２】
(a) 朝顔装置を構成する各部材を高所の仮設足場に運び、そこで組み立てて設置すると、安全性と作業上の問題が多い。朝顔装置を構成する部材のうち、主材縦桟と主材縦桟取付金具及び控え材と控え材取付金具をセットにして、高所の仮設足場に運び、そこで組み立てて設置するようにしても、その後、隣接する建地材に各２本取り付けられた主材縦桟のうちの各１本の間に主材上部横桟と主材下部横桟を取り付けてパネル枠を形成し、そのパネル枠にフレ止めを斜めに設置した後、パネル枠内に複数枚の長方形に分割された波形のパネル材を順に配設し、その後、パネル押え材をパネル材の内側に水平に設置するという作業が高所の仮設足場において必要なため、安全性と作業上の問題が残る。
【００３３】
(b) 安全性と作業上の問題を最小限にするためには、高所の仮設足場における組み立て作業を極力減らすのがよい。そのためには、主材上部横桟１本と主材下部横桟１本と主材縦桟の２本からパネル枠を形成し、そのパネル枠内に波形のパネル材を配設して一体化することによって、朝顔装置ユニットを予め工場や現地の地上部等で組み立てておき、このユニットを仮設足場に運ぶとともに、別途、仮設足場の建地材又は支柱に主材縦桟を取り付けることができる主材縦桟取付金具を用意すればよい。
【００３４】
朝顔装置ユニットがパネル枠を下方から支持する複数本の控え材を備える場合には、上記の主材縦桟取付装置に加えて、仮設足場の建地材又は支柱に控え材を取り付けることができる控え材取付金具を用意すればよい。
【００３５】
朝顔装置ユニットがパネル枠を上方から支持する複数本の吊り材を備える場合には、前記の主材縦桟取付装置に加えて、仮設足場の建地材又は支柱に吊り材を取り付けることができる吊り材取付金具を用意すればよい。
【００３６】
(c) このような朝顔装置ユニットを形成するために、図３に示される控え材を備える朝顔装置の構成をベースに検討してみた。
【００３７】
まず、図３に示した朝顔装置は左右２本の主材縦桟取付装置を有するが、この各主材縦桟取付装置には隣接する朝顔装置の主材縦桟を含めて２本の主材縦桟が取り付けられている。また、この朝顔装置は左右２本の控え材取付装置を有するが、この各控え材取付装置には隣接する朝顔装置の控え材を含めて２本の控え材が取り付けられている。したがって、各主材縦桟取付装置及び各控え材取付装置から、隣接する朝顔装置の分の主材縦桟及び控え材を外すことにより、朝顔装置ユニットの１個分の大まかな形状を導くことができる。
【００３８】
図８は、このようにして得られた朝顔装置ユニットの一例であり、(a)は左側面図、(b)は正面図を示す。
【００３９】
しかしながら、隣接する朝顔装置の主材縦桟及び控え材を外しただけでは、朝顔装置ユニットとして充分なものは得られない。朝顔装置ユニットを仮設足場の建地材又は支柱に固定するための主材縦桟取付装置及び控え材取付装置取付金具の構造と固定方法を変更する必要がある。
【００４０】
従来の朝顔装置においては、図６に示すとおり、２本の主材縦桟とこれら２本の主材縦桟を仮設足場の建地材又は支柱の一本に同時に固定して取り付けるために１個の主材縦桟取付金具、そして、２本の控え材とこれら２本の控え材を仮設足場の建地材又は支柱の一本に同時に固定して取り付けるために１個の控え材取付金具からなる部材セットを用いることを前提としているため、主材縦桟取付金具の両側に隣接する２個の朝顔装置の主材縦桟の各１本が同時にセットされ、取り付け穴に１本のボルトを貫通させることによって同時に２本の主材縦桟が固定される。また、控え材取付金具の両側に隣接する２個の朝顔装置の控え材の各１本が同時にセットされ、１本のボルトを貫通させることによって同時に２本の控え材が固定される。
【００４１】
図９は、従来の朝顔装置における主材縦桟取付金具と控え材取付金具の一例を示す。(a)は左側面図であり、(b)は(a)のＡ−Ａ矢視図と主材縦桟取付金具近傍の拡大図（円内）、(c)は(a)のＢ−Ｂ矢視図と控え材取付金具近傍の拡大図（円内）である。
【００４２】
図１０は、従来の朝顔装置における主材縦桟取付金具の取り付け穴の一例であり、(a)は側面図、(b)は(a)のＡ−Ａ矢視図、(c)は正面図（主材縦桟取付金具の建地材又は支柱への取付作業図）、(d)は(c)の取付後の正面図である。
【００４３】
主材縦桟取付金具１１は、平板部１７の端にクランプ等の仮設足場固定部１８を設けた形状のものが一般的であり、その平板部１７にはボルトを貫通するための取り付け穴３４が１つまたは複数個穿たれている。なお、ここでは、主材縦桟取付金具について説明したが、控え材取付金具も同様な構造を有している。
【００４４】
従来の朝顔装置では、その取り付け穴の１つを利用して、主材縦桟取付金具の両側に隣接する２個の朝顔装置の主材縦桟の各１本の主材縦桟の間に主材縦桟取付金具を挟み込むようにしてセットし、１本のボルトを貫通させてナットで固定していた。控え材取付金具も同様にして、セットし、１本のボルトを貫通させてナットで固定していた。
【００４５】
しかしながら、このような固定方法をそのまま朝顔装置ユニットに適用すると、最初に設置する朝顔装置ユニットの主材縦桟と控え材の各１本を主材縦桟取付金具及び控え材取付金具に取り付けて固定することは可能であるが、次に隣接して設置する朝顔装置ユニットの主材縦桟と控え材の各１本を主材縦桟取付金具及び控え材取付金具に取り付けることは複雑で危険な作業を伴うことになる。
【００４６】
図１１と図１２は、従来の朝顔装置の主材縦桟取付金具を用いる主材縦桟の固定方法を朝顔装置ユニットに適用した一例である。図１１が最初に設置する朝顔装置ユニットの取り付け状況であり、(a)は側面図、(b)は(a)のＡ−Ａ矢視図（主材縦桟取付金具の建地材又は支柱への取付作業図）、(c)は取り付け後のＡ−Ａ矢視図である。図１２は次に隣接して設置する朝顔装置ユニットの取り付け状況であり、(a)は側面図、(b)は(a)のＡ−Ａ矢視図（主材縦桟取付金具の建地材又は支柱への取付作業図）、(c)は取り付け後のＡ−Ａ矢視図である。
【００４７】
図１１にみるごとく、最初に設置する朝顔装置ユニット２７においては主材縦桟取付金具を用いてボルト４０にて固定しているので、１本の主材縦桟を仮設足場の建地材又は支柱に固定するのに何ら問題はない。しかしながら、図１２にみるごとく、次に隣接して設置する朝顔装置ユニット２８においては、もう１本の主材縦桟を仮設足場の建地材又は支柱に固定する必要があるため、既に固定されている最初に設置された朝顔装置ユニットの主材縦桟取付金具の固定ボルトを一旦外してから、もう１本の主材縦桟を主材縦桟取付金具に添わせてセットし、１本のボルトを貫通させてナットで固定する必要がある。控え材取付金具も同様にして、セットし、１本のボルトを貫通させてナットで固定する必要がある。
【００４８】
このように、従来の朝顔装置での固定方法をそのまま朝顔装置ユニットに適用すると、複雑で危険な作業を伴うことになる。
【００４９】
(d) このような複雑で危険な作業を避けるためには、隣接する２個の朝顔装置ユニットの各１本の主材縦桟を仮設足場の１本の建地材又は支柱に取り付けるための主材縦桟取付金具において、主材縦桟の２本を同時に１本のボルトで固定して取り付けるのではなく、それぞれの主材縦桟を別個に１本ずつ、１本の建地材又は支柱に取り付けることができるようにすればよい。すなわち、主材縦桟の各１本を別個のボルト又は固定ピンで固定して取り付けることができる構造とすればよい。また、さらに、パネル枠を下方から支持する複数本の控え材又は上方から支持する複数本の吊り材を備える朝顔装置ユニットを用いる場合にも同様である。
【００５０】
したがって、主材上部横桟１本と主材下部横桟１本と主材縦桟の２本からパネル枠を形成し、そのパネル枠内に波形のパネル材を配設して一体化するとともに、主材縦桟の基部には仮設足場の建地材又は支柱に主材縦桟を取り付けることができる主材縦桟取付金具を備える朝顔装置ユニット、あるいはさらに、パネル枠を下方から支持する複数本の控え材又は上方から支持する複数本の吊り材を備える朝顔装置ユニットを用いる場合には、隣接する２個の朝顔装置ユニットの各１本の主材縦桟を仮設足場の一本の建地材又は支柱に同時に固定して取り付けるのではなく、それぞれの主材縦桟が別個に１本の建地材又は支柱に取り付けることが可能である主材縦桟取付金具を用いる必要がある。この際、それぞれの主材縦桟がその基部を中心として別個に垂直方向に回転可能な状態で１本の建地材又は支柱に取り付けることが可能であることが好ましい。
【００５１】
また、さらに、パネル枠を下方から支持する複数本の控え材又は上方から支持する複数本の吊り材を備える朝顔装置ユニットを用いる場合には、隣接する２個の朝顔装置ユニットの各１本の控え材又は吊り材を仮設足場の一本の建地材又は支柱に同時に固定して取り付けるのではなく、それぞれの控え材又は吊り材が別個に１本の建地材又は支柱に取り付けることが可能である主材縦桟取付金具を用いる必要がある。この際、それぞれの控え材又は吊り材がその基部を中心として別個に垂直方向に回転可能な状態で１本の建地材又は支柱に取り付けることが可能であることが好ましい。
【００５２】
なお、仮設足場のコーナー部では、主材縦桟取付金具には朝顔装置の主材縦桟の３本が取り付けられるが、３本の主材縦桟は仮設足場の建地材の一本に別個に取り付けられ、別個に固定されることが可能である必要がある。
【００５３】
(e) 朝顔装置ユニットがさらにパネル枠を下方から支持する複数本の控え材を備える場合には、上記の主材縦桟取付装置に加えて、それぞれの控え材がその基部を中心として別個に垂直方向に回転可能な状態で、別個に１本の建地材又は支柱に取り付けられることが可能である控え材取付金具を用いる必要がある。
【００５４】
そして、図２４に示すとおり、控え材を備える朝顔装置ユニットには、主材縦桟の基部と控え材の基部を接続するスペーサーを設けることができる。この場合、朝顔装置の最終設置形状を有する朝顔装置ユニットとすることができる。スペーサーは、主材縦桟の基部と控え材の基部との間隔を維持できるものであればよく、鋼管（パイプ）や角管のように強固なものだけでなく、ワイヤーのように圧縮時に形状を保持できないものでもよい。ワイヤーは圧縮時に形状を保持できないが、ワイヤーを用いた場合であっても控え材の重力によりワイヤーが伸びるので、間隔を維持することができる。
【００５５】
(f) 朝顔装置ユニットがさらにパネル枠を上方から支持する複数本の吊り材を備える場合には、上記の主材縦桟取付装置に加えて、それぞれの吊り材がその基部を中心として別個に垂直方向に回転可能な状態で、別個に１本の建地材又は支柱に取り付けられることが可能である吊り材取付金具を用いる必要がある。
【００５６】
そして、吊り材を備える朝顔装置ユニットには、主材縦桟の基部と吊り材の基部を接続するスペーサーを設けることができる。この場合、朝顔装置の最終設置形状を有する朝顔装置ユニットとすることができる。スペーサーは、主材縦桟の基部と吊り材の基部部との間隔を維持できるものであればよく、鋼管（パイプ）や角管のように強固なもので、間隔を維持することができる。
【００５７】
(g) なお、朝顔装置ユニットを仮設足場の建地材又は支柱に取り付けた後に、朝顔装置ユニットのパネル枠及び主材縦桟を一定の角度に倒すために、主材縦桟取付装置、控え材取付装置、吊り材取付金具には、そのいずれかに回転部を設けることも必要である。
【００５８】
そして、朝顔装置ユニットを用いれば、朝顔装置を設置したい仮設足場まで運搬するのに、クレーン等の重機を使用することができる。
【００５９】
(h) 次に、朝顔装置ユニットを組立工場や保管倉庫から仮設足場まで運搬する際の運搬効率について検討する。
【００６０】
控え材を備える朝顔装置ユニットをそのまま運搬すると、控え材は、主材上部横桟と主材下部横桟と複数本の主材縦桟から形成される枠よりもはみ出している分だけ、トラックの荷台に一度に積載できる朝顔装置ユニットの数が少なくなる。吊り材を備える朝顔装置ユニットの運搬の場合も同様の問題がある。
【００６１】
図１３は、控え材を備える朝顔装置ユニットをそのままトラックの荷台３６に積載したときの一例である。(a)がトラック上面図、(b)がトラック側面図である。控え材４は、主材上部横桟と主材下部横桟と複数本の主材縦桟から形成されるパネル枠よりも約１．０〜１．７ｍ程はみ出している。
【００６２】
これを解決し、運搬を効率化する手法としては、次の(i)〜(iv)が考えられる。
【００６３】
(i) 朝顔装置ユニットから、控え材又は吊り材のみを取り外して、控え材又は吊り材を取り外した朝顔装置ユニットと控え材又は吊り材とに分離し、別々に梱包して仮設足場まで運搬し、仮設足場で両者を組み立てて、朝顔装置ユニットにする手法である。
【００６４】
図１４は、控え材を取り外した朝顔装置ユニット２４と控え材４に分離して、別々に梱包したときの一例である。(a)がトラック上面図、(b)がトラック側面図である。控え材のはみ出しがない分だけ、トラックの荷台に一度に積載できる朝顔装置ユニットの数が多くなる。
【００６５】
(ii) 朝顔装置ユニットに備わる控え材又は吊り材を軸方向にスライド可能とすることで、控え材又は吊り材のはみ出しを抑える手法である。
【００６６】
図１５は、控え材を軸方向にスライド可能とした朝顔装置ユニットの一例である。(a)がスライドさせる前の朝顔装置ユニットの上面図、(b)がスライドさせた後の朝顔装置ユニットの側面図である。スライド後は、控え材のはみ出しがない分だけ、コンパクトな朝顔装置ユニットとなっている。
【００６７】
(iii) 朝顔装置ユニットに備わる控え材又は吊り材を朝顔装置ユニットのパネル面で回転可能とすることで、控え材又は吊り材のはみ出しを抑える手法である。
【００６８】
図１６は、控え材を朝顔装置ユニットのパネル面で回転可能とした朝顔装置ユニットの一例である。(a)が回転前の朝顔装置ユニットの上面図、(b)が回転後の朝顔装置ユニットの側面図である。回転後は、控え材のはみ出しがない分だけ、コンパクトな朝顔装置ユニットとなっている。
【００６９】
(iv) 朝顔装置ユニットに備わる控え材又は吊り材を軸方向にスライド可能とするとともに朝顔装置ユニットのパネル面で回転可能とすることによって、朝顔装置ユニットの下方側面にリフト爪を差し込むことができる隙間を形成する手法である。
【００７０】
図１７は、控え材を軸方向にスライド可能とするととも朝顔装置ユニットのパネル面で回転可能とした朝顔装置ユニットの一例である。(a)と(b)がスライドさせた後であって回転前の朝顔装置ユニットの上面図と側面図、(c)と(d)がさらに回転させた後の朝顔装置ユニットの上面図と側面図である。控え材４をスライドさせ、かつ回転させた後は朝顔装置ユニットの下方側面に隙間３７が形成されているので、ここにリフト爪を差し込むことができるので、朝顔装置の運搬が容易になる。
【００７１】
本発明は、上記の知見に基づきなされたもので、その要旨は下記の(1)〜(5)の朝顔装置ユニットにある。
【００７２】
(1) 主材上部横桟と主材下部横桟と複数本の主材縦桟から形成される枠及びこの枠内に配設されるパネル材からなる朝顔装置ユニット及び主材縦桟取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであることを特徴とする朝顔装置。
【００７３】
(2) 主材上部横桟と主材下部横桟と複数本の主材縦桟から形成される枠及びこの枠内に配設されるパネル材並びにこの枠を下方から支持する複数本の控え材からなる朝顔装置ユニット並びに主材縦桟取付装置及び控え材取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであるとともに、控え材取付装置は、一つの朝顔装置ユニットの控え材の少なくとも１本と、この朝顔装置ユニットに隣接する別の朝顔装置ユニットの控え材の少なくとも１本とを、それぞれの控え材がその基部を中心として別個に垂直方向に回転可能な状態で別個に１本の支柱又は建地材に取り付けることが可能なものであることを特徴とする朝顔装置。
【００７４】
(3) 主材縦桟の基部と控え材の基部がスペーサーで接続されていることを特徴とする、上記(2)の朝顔装置。
【００７５】
(4) 主材上部横桟と主材下部横桟と複数本の主材縦桟から形成される枠及びこの枠内に配設されるパネル材並びにこの枠を上方から支持する複数本の吊り材からなる朝顔装置ユニット並びに主材縦桟取付装置及び吊り材取付装置からなる朝顔装置であって、複数個の朝顔装置ユニットが仮設足場の支柱又は建地材の間に設置される際に、主材縦桟取付装置は、一つの朝顔装置ユニットの主材縦桟の少なくとも１本と、この朝顔装置ユニットに隣接する別の朝顔装置ユニットの主材縦桟の少なくとも１本とを、それぞれの主材縦桟がその基部を中心として別個に垂直方向に回転可能な状態で別個に１本の支柱又は建地材に取り付けることが可能なものであるとともに、吊り材取付装置は、一つの朝顔装置ユニットの吊り材の少なくとも１本と、この朝顔装置ユニットに隣接する別の朝顔装置ユニットの吊り材の少なくとも１本とを、それぞれの吊り材がその基部を中心として別個に垂直方向に回転可能な状態で別個に１本の支柱又は建地材に取り付けることが可能なものであることを特徴とする朝顔装置。
【００７６】
(5) 主材縦桟の基部と吊り材の基部がスペーサーで接続されていることを特徴とする、上記(4)の朝顔装置ユニット。
【発明の効果】
【００７７】
本発明に係る朝顔装置ユニットによれば、数量確認および部材確認が瞬時で行えるとともに、仮設足場での朝顔装置の組み立て作業が減少するので、仮設足場に朝顔装置を設置する際の安全性と作業性の向上を図ることができる。また、朝顔装置の組立作業又は解体作業の際に、朝顔装置の各部材の紛失や破損が減少する。
【発明を実施するための最良の形態】
【００７８】
以下、図面を用いて本発明に係る朝顔装置に用いる、主材縦桟取付金具、控え材取付金具及び吊り材取付金具を説明する。いずれの取付金具もその構造は同様であるから、主材縦桟取付金具を主として説明する。
【００７９】
図１８は、本発明に係る朝顔装置に用いる主材縦桟取付金具の一例である。(a)は側面図、(b)は正面図である。
【００８０】
これは、仮設足場で一般的に使用される連結ピン方式を採用した方式である。主材縦桟取付金具１１の側面部１６にはボルト４０とナット４１を介して垂直方向に回転可能となるようにアングル材５１が２個設けられており、このアングル材５１の上に設けられた連結ピン５０に、連結ピン５０の径より若干太径の円管又は角管形状の主材縦桟７の下端部を、上方から差し込んだ後、固定ピン５２を固定穴５３に差し込んで固定するものである。固定ピン５２に人的力が加わらない限り、差し込まれた主材縦桟７は主材縦桟取付金具１１から外れないようになっている。
【００８１】
図１９は、本発明に係る朝顔装置に用いる主材縦桟取付金具の他の例である。(a)は側面図、(b)は正面図である。
【００８２】
これも、図１８に示されたのと同様に、連結ピン方式を採用した方式である。ただし、連結ピン５０を主材縦桟取付金具１１に設けるのではなく、円管又は角管形状の主材縦桟７の下端部に設けたものである。主材縦桟取付金具１１は平板部１７を有しており、平板部１７と側面部１６を固定するためのアングル材５１が設けられている。この主材縦桟取付金具１１は、平板部１７の上面には３枚の縦材５５が平行に溶接され、３枚の縦材５５の間に円管又は角管形状の鋼管５６が２個、ボルト４０とナット４１を介してそれぞれ別個に垂直方向に回転可能となるように設けられている。主材縦桟取付金具１１の平板部１７の上方に設けられた円管又は角管形状の鋼管５６に、主材縦桟７の下端部に設けられた連結ピン５０を上方から差し込んだ後、固定ピン５２を固定穴５３に差し込んで固定するものである。固定ピン５２に人的力が加わらない限り、差し込まれた主材縦桟７は主材縦桟取付金具１１から外れないようになっている。
【００８３】
図２０は、本発明に係る朝顔装置に用いる主材縦桟取付金具の他の例である。(a)は側面図、(b)は正面図である。
【００８４】
これは、主材縦桟７の下端部に、アングル材（固定穴５３が側壁に穿たれている）５１を溶接し、このアングル材５１の側壁を、主材縦桟取付金具１１の平板部１７の上面の２箇所に溶接された、それぞれ２枚組の縦材（固定穴５３が側壁に穿たれている）５５の隙間に上方から挿入したのち、ボルト４０とナット４１を介してそれぞれ別個に垂直方向に回転可能になるように取り付けるものである。ボルトナットを外さない限り、主材縦桟７は主材縦桟取付金具１１から外れないようになっている。なお、ここでは、主材縦桟取付金具１１の平板部１７と側面部１６を固定するための別のアングル材５１が設けられている。
【００８５】
図２１は、本発明に係る朝顔装置に用いる主材縦桟取付金具の他の例である。(a)は側面図、(b)は正面図である。
【００８６】
これも、図２０に示されたのと同様に、ボルト４０とナット４１を介して主材縦桟７が主材縦桟取付金具１１に対してそれぞれ別個に垂直方向に回転可能になるように取り付けるものである。ただし、回転部となるボルトナットを主材縦桟取付金具１１に設けるのではなく、円管又は角管形状の主材縦桟７の下端部にコの字形の鋼材（固定穴５３が側壁に穿たれている）５７を溶接したものである。
【００８７】
そして、このコの字形の鋼材（固定穴５３が側壁に穿たれている）５７の隙間に、主材縦桟取付金具１１の平板部１７の上面に溶接された２枚の縦材（固定穴５３が側壁に穿たれている）５５に上方から挿入したのち、ボルト４０とナット４１を介してそれぞれ別個に垂直方向に回転可能になるように取り付けるものである。ボルトナットを外さない限り、主材縦桟７は主材縦桟取付金具１１から外れないようになっている。なお、ここでは、主材縦桟取付金具１１の平板部１７と側面部１６を固定するためのアングル材５１が設けられている。
【００８８】
図２２は、本発明に係る朝顔装置に用いる主材縦桟取付金具の他の例である。(a)は側面図、(b)は正面図である。
【００８９】
これは、主材縦桟取付金具１１の平板部１７の上面に溶接された４枚の縦材（固定穴５３が側壁に穿たれている）５５の１枚目と２枚目の間、そして３枚目と４枚目の間に、それぞれ、円管又は角管形状の主材縦桟７の下端部（下端部の側面の２箇所には固定穴が穿たれている）を上方から挿入したのち、ボルト４０とナット４１を介してそれぞれ別個に垂直方向に回転可能になるように取り付けるものである。ボルトナットを外さない限り、主材縦桟７は主材縦桟取付金具１１から外れないようになっている。なお、ここでは、主材縦桟取付金具１１の平板部１７と側面部１６を固定するためのアングル材５１が設けられている。
【００９０】
図２３は、本発明に係る朝顔装置に用いる主材縦桟取付金具の他の例である。(a)は側面図、(b)は正面図である。
【００９１】
これは、主材縦桟取付金具１１の側面部１６にブラケット５８を介して２本のリップ溝形鋼３０を一組のボルトナットによって同時に固定し、リップ溝形鋼３０の中に、それぞれ、円管又は角管形状の主材縦桟７の下端部（下端部には短円管５９が水平方向に溶接されている）を上方から挿入したのち、ボルト４０をそれぞれの主材縦桟７の下端部に溶接された短円管５９の固定穴（円筒部分）５３に挿入し、ナット４１を締めることによって、主材縦桟７がそれぞれのボルト４０とナット４１を介してそれぞれ別個に垂直方向に回転可能になるように取り付けるものである。ボルトナットを外さない限り、主材縦桟７は主材縦桟取付金具１１から外れないようになっている。
【００９２】
図２４は、本発明に係る朝顔装置ユニットの仮設足場への運搬方法の一例である。(a)は側面図、(b)は正面図である。
【００９３】
この朝顔装置ユニットは、控え材４を備えており、朝顔装置ユニットの主材縦桟７の基部と控え材４の基部を接続するスペーサー１９を有する。このようなスペーサー１９を有する朝顔装置ユニットは、朝顔装置の最終設置形状の形を保持したまま、クレーン等の重機でワイヤー２３を介して吊り下げ、仮設足場２０の最終設置場所まで一挙に運搬し、仮設足場２０の建地材２１に、主材縦桟取付金具１１を介して主材縦桟７を、そして、控え材取付金具１２を介して控え材４を、それぞれ取り付けることができる。
【００９４】
図２５は、本発明に係る朝顔装置ユニットの仮設足場への運搬方法の他の例である。(a)は側面図、(b)は正面図である。
【００９５】
これは、朝顔装置ユニット２４の３個を予め組み立てておき、Ｈ鋼からなるトラバーサー６０を介して、クレーン等の重機で吊り上げた状態である。最終設置場所まで３個の朝顔装置ユニット２４を一挙に運搬することができるので、運搬の効率化を図ることができる。
【産業上の利用可能性】
【００９６】
本発明によれば、数量確認および部材確認が瞬時で行えるとともに、仮設足場での朝顔装置の組み立て作業が減少する朝顔装置ユニットを提供することができる。仮設足場に朝顔装置を設置する際の安全性と作業性の向上を図ることができる。
【図面の簡単な説明】
【００９７】
【図１】仮設足場に設けられた朝顔装置の一例であり、(a)は左側面図、(b)は正面図である。
【図２】朝顔装置の構成の一例であり、(a)は左側面図、(b)〜(d)は正面図（組立作業図）、(e)はパネル材正面図、そして、(f)は朝顔装置の主材上部横桟を仮設足場の建地材に取り付けるための取付金具を示す。
【図３】朝顔装置の構成の他の例であり、図２に示された朝顔装置を下方から支持するための控え材を備えたものである。(a)は左側面図、(b)は正面図、(c)と(d)は控え材の基部の拡大図である。
【図４】図４(a)は、このような控え材を有する朝顔装置を取付金具を介して仮設足場の建地材に取り付けた一例である。図４(b)は、控え材の代わりに、吊り材を有する朝顔装置を取付金具を介して仮設足場の建地材に取り付けた一例である。
【図５】特許文献１で提案された、控え材取付部材の一例である。(a)は左側面図であり、(b)は正面図である。
【図６】朝顔装置を仮設足場に設置する手順の一例を(a)〜(c)の順に示す。
【図７】朝顔装置の設置作業を示す。
【図８】朝顔装置ユニットの一例であり、(a)は左側面図、(b)は正面図を示す。
【図９】従来の朝顔装置における主材縦桟取付金具と控え材取付金具の一例を示す。(a)は左側面図であり、(b)は(a)のＡ−Ａ矢視図と主材縦桟取付金具近傍の拡大図（円内）、(c)は(a)のＢ−Ｂ矢視図と控え材取付金具近傍の拡大図（円内）である。
【図１０】従来の朝顔装置における主材縦桟取付金具の取り付け穴の一例であり、(a)は側面図、(b)は(a)のＡ−Ａ矢視図、(c)は正面図（主材縦桟取付金具の建地材又は支柱への取付作業図）、(d)は(c)の取付後の正面図である。
【図１１】従来の朝顔装置の主材縦桟取付金具を用いる主材縦桟の固定方法を朝顔装置ユニットに適用した一例（最初に設置する朝顔装置ユニットの取り付け状況）である。(a)は側面図、(b)は(a)のＡ−Ａ矢視図（主材縦桟取付金具の建地材又は支柱への取付作業図）、(c)は取り付け後のＡ−Ａ矢視図である。
【図１２】従来の朝顔装置の主材縦桟取付金具を用いる主材縦桟の固定方法を朝顔装置ユニットに適用した一例（次に隣接して設置する朝顔装置ユニットの取り付け状況）である。(a)は側面図、(b)は(a)のＡ−Ａ矢視図（主材縦桟取付金具の建地材又は支柱への取付作業図）、(c)は取り付け後のＡ−Ａ矢視図である。
【図１３】控え材を備える朝顔装置ユニットをそのままトラックの荷台に積載したときの一例である。(a)がトラック上面図、(b)がトラック側面図である。
【図１４】控え材を取り外した朝顔装置ユニットを、控え材に分離して、別々に梱包したときの一例である。(a)がトラック上面図、(b)がトラック側面図である。
【図１５】控え材を軸方向にスライド可能とした朝顔装置ユニットの一例である。(a)がスライドさせる前の朝顔装置ユニットの上面図、(b)がスライドさせた後の朝顔装置ユニットの側面図である。
【図１６】控え材を朝顔装置ユニットのパネル面で回転可能とした朝顔装置ユニットの一例である。(a)が回転前の朝顔装置ユニットの上面図、(b)が回転後の朝顔装置ユニットの側面図である。
【図１７】控え材を軸方向にスライド可能とするととも朝顔装置ユニットのパネル面で回転可能とした朝顔装置ユニットの一例である。(a)と(b)がスライドさせた後であって回転前の朝顔装置ユニットの上面図と側面図、(c)と(d)がさらに回転させた後の朝顔装置ユニットの上面図と側面図である。
【図１８】本発明に係る朝顔装置に用いる主材縦桟取付金具の一例である。(a)は側面図、(b)は正面図である。
【図１９】本発明に係る朝顔装置に用いる主材縦桟取付金具の他の例である。(a)は側面図、(b)は正面図である。
【図２０】本発明に係る朝顔装置に用いる主材縦桟取付金具の他の例である。(a)は側面図、(b)は正面図である。
【図２１】本発明に係る朝顔装置に用いる主材縦桟取付金具の他の例である。(a)は側面図、(b)は正面図である。
【図２２】本発明に係る朝顔装置に用いる主材縦桟取付金具の他の例である。(a)は側面図、(b)は正面図である。
【図２３】本発明に係る朝顔装置に用いる主材縦桟取付金具の他の例である。(a)は側面図、(b)は正面図である。
【図２４】本発明に係る朝顔装置ユニットの仮設足場への運搬方法の一例である。(a)は側面図、(b)は正面図である。
【図２５】本発明に係る朝顔装置ユニットの仮設足場への運搬方法の他の例である。(a)は側面図、(b)は正面図である。
【符号の説明】
【００９８】
１  朝顔装置
２  パネル材
３  パネル枠
４  控え材
５  主材上部横桟
６  主材下部横桟
７  主材縦桟
８  フレ止め
９  パネル押え材
１０  吊り材
１１  主材縦桟取付金具
１２  控え材取付金具
１３  吊り材取付金具
１４  スライド材
１５  建物
１６  側面部
１７  平板部
１８  仮設足場固定部
１９  スペーザー
２０  仮設足場
２１  建地材
２２  手摺の開口部
２３  ワイヤー
２４  朝顔装置ユニット
２５  落下物
２６  作業者
２７  最初に設置する朝顔装置ユニット
２８  次に隣接して設置する朝顔装置ユニット
３０  リップ溝形鋼
３１  エンドストッパー用ボルト
３３  係合部
３４  取り付け穴
３５  ロープ
３６  トラックの荷台
３７  隙間
４０  ボルト
４１  ナット
５０  連結ピン
５１  アングル材
５２  固定ピン
５３  固定穴
５５  縦材
５６  鋼管
５７  コの字形の鋼材
５８  ブラケット
５９  短円管
６０  トラバーサー
【図１】
2008031667.tif 000003
【図２】
2008031667.tif 000004
【図３】
2008031667.tif 000005
【図４】
2008031667.tif 000006
【図５】
2008031667.tif 000007
【図６】
2008031667.tif 000008
【図７】
2008031667.tif 000009
【図８】
2008031667.tif 000010
【図９】
2008031667.tif 000011
【図１０】
2008031667.tif 000012
【図１１】
2008031667.tif 000013
【図１２】
2008031667.tif 000014
【図１３】
2008031667.tif 000015
【図１４】
2008031667.tif 000016
【図１５】
2008031667.tif 000017
【図１６】
2008031667.tif 000018
【図１７】
2008031667.tif 000019
【図１８】
2008031667.tif 000020
【図１９】
2008031667.tif 000021
【図２０】
2008031667.tif 000022
【図２１】
2008031667.tif 000023
【図２２】
2008031667.tif 000024
【図２３】
2008031667.tif 000025
【図２４】
2008031667.tif 000026
【図２５】
2008031667.tif 000027